(57)【要約】 【課題】  内部に情報を印刷した封筒を容易に作成可能で、内部印刷情報を簡単に読み取り可能かつ保管可能な封筒作成用シートを提供する。【解決手段】  封筒作成用シート１０は一方の面に粘着剤層１２が形成された基材シート１１と、この粘着剤層１２を覆うように重ねられた印字用シート２０とからなる。シート１０は第１の領域１６（２６）および第２の領域１７（２７）に分割されており、第１の領域の１６（２６）の周縁部は粘着剤層１２が露出可能とされている。また、印字用シート２０の第２の領域２７にはループ状切れ目２２が形成されているとともに、基材シート１１にはこのループ状切れ目２２を取り囲む開封用切れ目１９が形成されている。【選択図】  図６
2006334981.tif 000002
【特許請求の範囲】
【請求項１】
一方の面に粘着剤層を有する基材シートと、この基材シートの粘着剤層に剥離可能に重ねられた印字用シートとからなり、折り目によって前記印字用シートを内側として二つ折り可能な封筒作成用シートであって、
前記折り目によって区分される前記印字用シートの第１および第２の領域のうち少なくとも一方には、少なくとも前記折り目に沿った部分を除いた３辺の周縁部に前記印字用シートの一部を前記基材シートから引き剥がして前記粘着剤層を露出させるための粘着剤露出用切れ目と、前記印字用シートに設けられた所定の印字領域を取り囲むループ状切れ目とが形成されており、
前記基材シートには前記印字用シートの前記ループ状切れ目に対応してそのループ状切れ目の外側を取り囲むように開封用切れ目が形成されていることを特徴とする封筒作成用シート。
【請求項２】
前記開封用切れ目の一部が不連続とされて前記基材シートのうち前記開封用切れ目により取り囲まれる領域がその他の領域から切り離し不可能となっていることを特徴とする請求項１に記載の封筒作成用シート。
【請求項３】
前記基材シートのうち前記粘着剤層が露出される領域の一部にループ状の窓形成用切れ目が形成されていることを特徴とする請求項１又は請求項２に記載の封筒作成用シート。
【請求項４】
前記折り目によって区分される前記基材シートの第１の領域および第２の領域のうち少なくとも一方に切れ目を介して連なる分離可能領域が設けられ、前記印字用シートのうち前記分離可能領域に対応する部分には切れ目により分離可能とされた控え用印字領域が設けられていることを特徴とする請求項１ないし請求項３のいずれかに記載の封筒作成用シート。
【請求項５】
一方の面に粘着剤層を有する基材シートと、この基材シートの粘着剤層に剥離可能に重ねられた印字用シートとからなる情報隠蔽用シートであって、
前記印字用シートにはその印字用シートに設けられた所定の印字領域を取り囲むループ状切れ目が形成されると共に、前記基材シートには前記ループ状切れ目に対応してそのループ状切れ目の外側を取り囲むように開封用切れ目が形成され、前記印字用シートのうち前記ループ状切れ目の外側に位置する外周縁部には印字用シートの外周縁部を前記基材シートから剥がして前記粘着剤層を露出させるための粘着剤露出用切れ目が形成されていることを特徴とする情報隠蔽用シート。
【発明の詳細な説明】
【技術分野】
【０００１】
本発明は、納品書や給与明細等の情報を封筒内に収容したり、外部から目視できないように隠蔽するための封筒作成用シートおよび情報隠蔽用シートに関するものである。
【背景技術】
【０００２】
従来、例えば納品書等の通知書は、一枚の用紙に印刷した納品書を封筒に収容した状態で送付するのが一般的である。このような形態のものは、納品書を封筒に収容する際に、納品書と封筒の宛先が間違わないように慎重な確認が必要であり、手間がかかる。或いは、納品書が印刷された一枚の用紙を二つ折りにしてその周縁部を接着剤にて閉じ、受取人が接着部分を切り取って開く形態のものがある。しかしこのような形態のものは、切り取り作業の際にはさみ等が必要であったり、手で切り取ろうとする場合には一旦折り曲げ作業を行わないときれいに切り取れない等、不便である。さらに、封筒を開いた後、納品書のみを保管しておきたい場合には、封筒の不要部分をはさみ等で切り取らなければならず、面倒である。
【０００３】
また、例えば個人の会員番号やパスワード等の通知書を葉書で送付する場合があるが、これらの情報を外部から確実に保護するために、例えば二つ折りの葉書の内面に情報を印刷し、剥離可能かつ再接着不可能な疑似接着により接着して、印刷された情報を保護する方法がしばしば用いられている。しかしこのような形態の葉書は、専用の製造機械が必要であり、少量の葉書を作成する場合には手間やコストがかかるという問題がある。
【特許文献１】実用新案登録第3084782号
【発明の開示】
【発明が解決しようとする課題】
【０００４】
本発明は上記諸事情に鑑みてなされたものであって、内部に情報を印刷した封筒を容易に作成可能で、かつ、内部印刷情報を簡単に読み取ることができ、さらに、封筒の不要部部分から情報印刷部分のみを簡単に得ることができる封筒作成用シートを提供することを目的とするものである。また、印刷された情報を確実に保護可能で、手間やコストがかからない情報隠蔽用シートを提供することを目的とするものである。
【課題を解決するための手段】
【０００５】
上記の目的を達成するための手段として、請求項１の発明は、一方の面に粘着剤層を有する基材シートと、この基材シートの粘着剤層に剥離可能に重ねられた印字用シートとからなり、折り目によって前記印字用シートを内側として二つ折り可能な封筒作成用シートであって、前記折り目によって区分される前記印字用シートの第１および第２の領域のうち少なくとも一方には、少なくとも前記折り目に沿った部分を除いた３辺の周縁部に前記印字用シートの一部を前記基材シートから引き剥がして前記粘着剤層を露出させるための粘着剤露出用切れ目と、前記印字用シートに設けられた所定の印字領域を取り囲むループ状切れ目とが形成されており、前記基材シートには前記印字用シートの前記ループ状切れ目に対応してそのループ状切れ目の外側を取り囲むように開封用切れ目が形成されていることを特徴とする。
【０００６】
請求項２の発明は、請求項１に記載の封筒作成用シートであって、前記開封用切れ目の一部が不連続とされて前記基材シートのうち前記開封用切れ目により取り囲まれる領域がその他の領域から切り離し不可能となっていることを特徴とする。
【０００７】
請求項３の発明は、請求項１または請求項２に記載の封筒作成用シートであって、前記基材シートのうち前記粘着剤層が露出される領域の一部にループ状の窓形成用切れ目が形成されていることを特徴とする。
【０００８】
請求項４の発明は、請求項１ないし請求項３のいずれかに記載の封筒作成用シートであって、前記折り目によって区分される前記基材シートの第１の領域および第２の領域のうち少なくとも一方に切れ目を介して連なる分離可能領域が設けられ、前記印字用シートのうち前記分離可能領域に対応する部分には切れ目により分離可能とされた控え用印字領域が設けられていることを特徴とする。
【０００９】
請求項５の発明は、一方の面に粘着剤層を有する基材シートと、この基材シートの粘着剤層に剥離可能に重ねられた印字用シートとからなる情報隠蔽用シートであって、前記印字用シートにはその印字用シートに設けられた所定の印字領域を取り囲むループ状切れ目が形成されると共に、前記基材シートには前記ループ状切れ目に対応してそのループ状切れ目の外側を取り囲むように開封用切れ目が形成され、前記印字用シートのうち前記ループ状切れ目の外側に位置する外周縁部には印字用シートの外周縁部を前記基材シートから剥がして前記粘着剤層を露出させるための粘着剤露出用切れ目が形成されていることを特徴とする。
【発明の効果】
【００１０】
＜請求項１の発明＞
上記請求項１に記載の封筒作成用シートによれば、まず、印字用シートに所望の情報をプリンタによって印刷する。次に、第１の領域或いは第２の領域の周縁部を粘着剤露出用切れ目に沿って切り離しつつ基材シートから引き剥がし、粘着剤層を露出させる。そして折り目に沿って印字用シートが内側となるように折り曲げ、露出された粘着剤層を他方の領域に重ね合わせて押し付けて接着させる。これにより、基材シートが二つ折り状態の封筒となり、印字用シートに印刷された情報は外部から見ることができなくなる。
【００１１】
なお、この時同封するものがある場合には、印字用シートの第１の領域および第２の領域の間に挟んでから周縁部を接着すればよい。
【００１２】
以上のように作成された封筒を開封する場合には、基材シートに形成された開封用切れ目に沿って基材シートの一部を引き剥がす。すると、印字用シートのうち開封用切れ目の内側に形成されたループ状切れ目の内側領域が、ループ状切れ目によってその他の領域から切り離され、基材シートに重ね合わされた状態で外部に露出する。これにより、内部に印刷された情報が目視可能となる。さらに、その露出された情報を保管したい場合には、基材シートから簡単に引き剥がすことができ、その他残った部分は廃棄すればよい。
【００１３】
このように、請求項１の発明の封筒作成用シートによれば、印字用シートに印刷を行って一部を引き剥がし、二つ折りにするだけで、内部に情報が印刷された封筒を簡単に作成することができる。また、この封筒を開封する場合には、基材シートの一部を開封用切れ目に沿って引き剥がすだけで、内部の情報を見ることができる。さらに、この情報を保管したい場合には、印刷部分を基材シートから引き剥がせばよい。
【００１４】
＜請求項２の発明＞
また請求項２の発明のように、開封用切れ目の一部が不連続とされている場合（切れ目がループ状になっていない場合）には、封筒の開封時、基材シートの一部を引き剥がした際に、引き剥がした領域がその他の領域から切り離されずにつながった状態となるから、不要部分（ごみとなる部分）がバラバラにならずに便利である。
【００１５】
＜請求項３の発明＞
また、請求項３の発明のように、基材シートのうち粘着剤層が露出される領域、すなわち、印字用シートが剥離される領域の一部にループ状の窓形成用切れ目が形成されていると、印字用シートの剥離作業の際に、基材シートの窓形成用切れ目の内側領域が印字用シートに一体に重ね合わされたままの状態でその他の領域から切り離されることとなり、基材シートに開口部ができる。よって、残存する印字用シートのうちこの開口部と重なる部分に例えば宛名等の情報を印刷しておけば、封筒完成時にその情報を開口部を通して外部から確認することができる。このような構成としておけば、基材シート側に宛名等の印刷を施す必要がなくなるので、より作業性が向上する。
【００１６】
＜請求項４の発明＞
さらに、請求項４の発明によれば、控え用印字領域に例えば控え情報等を印刷することができる。このようにすると、わざわざ別個に控えを印刷する手間が省ける上、封筒作成時に切れ目部分で分離可能領域とともに第１の領域あるいは第２の領域から分離し、引き剥がすという簡単な作業により、控えを得ることができる。
【００１７】
＜請求項５の発明＞
また、請求項５の発明の情報隠蔽用シートによれば、まず、印字用シートに所望の情報をプリンタによって印刷する。次に、印字用シートの外周縁部を粘着剤露出用切れ目に沿って切り離しつつ基材シートから引き剥がし、粘着剤層を露出させる。そして、露出された粘着剤層を例えば葉書等の貼付面に重ね合わせて押し付け、接着させる。これにより、印字用シートに印刷された情報は外部から見ることができなくなる。
【００１８】
以上のように隠蔽された情報を見る場合には、基材シートに形成された開封用切れ目に沿って基材シートの一部を引き剥がす。すると、印字用シートのうち開封用切れ目の内側に形成されたループ状切れ目の内側領域が、ループ状切れ目によってその他の領域から切り離され、基材シートに重ね合わされた状態で外部に露出する。これにより、内部に印刷された情報が目視可能となる。さらに、その露出された情報を保管したい場合には、基材シートから簡単に引き剥がすことができる。
【００１９】
このように、請求項５の発明の情報隠蔽用シートによっても、上記請求項１の封筒作成用シートと同様に、印字用シートに印刷を行って外周縁部を引き剥がし、葉書等の貼付面に貼り付けるだけで、印刷された情報を簡単に隠蔽することができる。また、隠蔽された情報を見る場合には、基材シートの一部を開封用切れ目に沿って引き剥がすだけでよい。さらに、その情報を保管したい場合には、印刷部分を基材シートから引き剥がせばよい。
【発明を実施するための最良の形態】
【００２０】
＜第１実施形態＞
以下、本発明を具体化した第１実施形態について図１ないし図９を参照して説明する。
本実施形態の封筒作成用シート１０は、一方の面に粘着剤層１２が形成された基材シート１１と、この粘着剤層１２を覆うように重ね合わされた印字用シート２０とからなる、Ａ４版の大きさのシートである。
【００２１】
図１は本実施形態の封筒作成用シート１０を印字用シート２０側から見た図、図２は基材シート１１側から見た図である。まず図２を参照して説明すると、基材シート１１には、長辺の長さ方向を３分割するように、短辺に沿った切れ目１３および折り目１４が形成されている。言い換えると、基材シート１１は図２中上方側に位置する切れ目１３および下方側に位置する折り目１４により、３つの領域に分割されている。図中上段の領域は他の領域から切り離し可能な分離可能領域１５とされており、ここでは中段を第１の領域１６、下段を第２の領域１７とよぶこととする。これら各領域の縦方向の長さとしては、第１の領域１６および第２の領域１７の長さが同等とされており、分離可能領域１５の長さはこれらより若干短くなるように設定されている。
なお、この基材シート１１の粘着剤層１２形成面と反対側の面には、地紋模様が予め印刷され、これにより、その裏側の印字領域に印刷した内容が透けて見えないようにしている。
【００２２】
一方、印字用シート２０には、図１に示すように、上記基材シート１１の折り目１４と重なる位置に切れ目２４が形成されているが、上記切れ目１３と重なる位置には折り目や切れ目等の分割線は特に形成されていない。しかし、上記基材シート１１の各領域と重なる領域を、上段から控え用印字領域２５、第１の領域２６、第２の領域２７とよぶこととする。
【００２３】
印字用シート２０の第１の領域２６には、ループ状の粘着剤露出用切れ目２１が形成されている。この粘着剤露出用切れ目２１は、切れ目２４を除く３つの端縁部から例えば８ｍｍ内側に、各端縁部に沿って形成されていると共に、切れ目２４に沿う部分は切れ目２４から例えば２ｃｍ内側に形成されている。この粘着剤露出用切れ目２１により、第１の領域２６の周縁部が粘着剤露出用切れ目２１の内側領域から切り離されて基材シート１１より剥離可能とされている。
【００２４】
また、第２の領域２７にも同様に、ループ状の切れ目２２が形成されている。このループ状切れ目２２は、切れ目２４を除く３つの端縁部から例えば１．５ｃｍ内側に形成されていると共に、切れ目２４に沿う部分は切れ目２４から例えば２．５ｃｍ内側に形成されている。このループ状切れ目２２により、第２の領域２７のループ状切れ目２２の内側領域が周縁部から切り離されて、基材シート１１より剥離可能とされている。
【００２５】
さらに、印字用シート２０の控え用印字領域２５には、左右の長辺からそれぞれ１．５ｃｍ内側の位置に切れ目２３ａ，２３ｂが形成されている。これらの切れ目２３ａ，２３ｂは印字用シート２０の上端縁部から上記第１の領域２６に形成された粘着剤露出用切れ目２１に到達する位置まで形成されている。また、図中左側に位置する切れ目２３ａのさらに内側には、リング孔用切れ目２８が上下に２個形成されてる。
【００２６】
また、図２に示すように、基材シート１１の第１の領域１６のうち、上記印字用シート２０の粘着剤露出用切れ目２１の下方位置やや右寄りには、矩形の窓形成用切れ目１８が形成されている。この窓形成用切れ目１８により、窓形成用切れ目１８の内側領域は、印字用シート２０の第１の領域２６の周縁部を基材シート１１から引き剥がす際に、印字用シート２０と一体に重ねられた状態で、基材シート１１から切り離されることとなる。さらに、基材シート１１の第２の領域１７には、上記印字用シート２０のループ状切れ目２２を取り囲むように、開封用切れ目１９が形成されている。この開封用切れ目１９は図２中右側が開いた（切れ目１９のうち右辺部分が不連続とされた）逆コ字形状とされている。
【００２７】
次に、上述した本実施形態の封筒作成用シート１０の使用方法について説明する。
封筒作成用シート１０を使用する場合には、図３に示すように、まず印字用シート２０の控え用印字領域２５および第２の領域２７の２箇所に、それぞれ例えば納品書の内容をプリンタによって印刷する。印字用シート２０のうち控え用印字領域２５に対応する部分は納品書発行側の控えのための印字領域であり、第２の領域２７は受取人に送るための納品書を印字するための印字領域である。なお、第２の領域２７のうち、ループ状切れ目２２の上方左寄り部分には、送付先や宛名を印刷しておく。
【００２８】
次に、印字用シート２０の控え用印字領域２５のうち、切れ目２３ａ，２３ｂの内側角部を基材シート１１からつまみ上げ、切れ目２３ａ，２３ｂに沿って切り離しつつ基材シート１１から引き剥がす（図３参照）。引き剥がされた領域２５ａは、会社側の納品書の控えとして保管する。
【００２９】
このように印字用シート２０の控え部分を除去すると、基材シート１１の切れ目１３の両端部以外がシートの表裏に露出した状態となる。そこで次に、図４に示すように、分離可能領域１５および控え用印字領域２５全体を印字用シート２０側に起こしつつ引っ張る。すると、基材シート１１の分離可能領域１５が第１の領域１６から切り離される。またこれに伴い、基材シート１１の分離可能領域１５と一体化された印字用シート２０の残存部分（控え用印字領域２５の残存部分）が引っ張られ、さらにその残存部分とつながった印字用シート２０の第１の領域２６の周縁部が基材シート１１から引き剥がされる。また、この周縁部が引き剥がされる際に、基材シート１１に形成された窓形成用切れ目１８の内側領域が、印字用シート２０の周縁部と一体となって基材シート１１の他の領域から切り離されて除去される。この結果、封筒作成用シート１０は、図５に示すように、第１の領域１６の周縁部に粘着剤層１２が露出され、かつ、第１の領域１６の下方部分に窓２９が形成された状態とされる。
【００３０】
次に、図６に示すように、露出された粘着剤層１２が内側となるように折り目１４に沿って折り曲げ、粘着剤層１２を印字用シート２０の第２の領域２７に重ね合わせるとともに押し付けることにより、基材シート１１と印字用シート２０とを接着させる（図７参照）。これにより、印字用シート２０の第２の領域２７に印刷された納品書は外部から見えないように保護される。また、印字用シート２０の第２の領域２７の上端部付近に印刷された宛先等は、窓２９を通して外部から目視可能である。
【００３１】
このような封筒作成用シート１０によって作成された封筒を受け取り、開封する場合には、裏面に形成されている開封用切れ目１９の角部をつまみ、封筒から引き剥がす（図８参照）。すると、開封用切れ目１９の内側領域に一体に重ねられた印字用シート２０の第２の領域２７の一部（ループ状切れ目２２の内側領域）がループ状切れ目２２によって他の領域から切り離され、外部に露出する。これにより、印刷された納品書２７ａを見ることが可能となる。また、この納品書２７ａを保管したい場合には、納品書２７ａの角部をつまんで基材シート１１から引き剥がせばよい（図９参照）。
【００３２】
このように、本実施形態の封筒作成用シート１０によれば、１枚のシート１０に印刷を行って印字用シート２０の一部（控え用印字領域２５の一部）を基材シート１１から剥ぎ取ることにより、簡単に控え２５ａを得ることができる、また、基材シート１１の分離可能領域１５を他の領域から切り離し、印字用シート２０の第１の領域２６の周縁部分を基材シート１１から引き剥がして粘着剤層１２を露出させることにより、シート１０を折り曲げるだけの簡単な作業で納品書を内部に収容した封筒を作成することができる。この時、同封するものがある場合には、内部に挟んで収納することが可能である。また、窓２９が形成されているため、印刷を一方の面に行うだけで封筒の外部から必要な情報だけを見ることが可能であり、両面印刷が不要である。さらに、開封用切れ目１９は一部が不連続とされているため、開封時に引き剥がされた部分が封筒本体と切り離されることがなく、ごみが散らからない。
【００３３】
＜第２実施形態＞
次に、本発明を具体化した第２実施形態について図１０ないし図１６を参照して説明する。
本実施形態は例えば葉書等に貼付可能な情報隠蔽用シート３０であり、上記実施形態と同様に、一方の面に粘着剤層３２が形成された基材シート３１と、この粘着剤層３２を覆うように重ね合わされた印字用シート４０とからなる、例えばＢ５版の大きさのシートである。
【００３４】
図１０は情報隠蔽用シート３０を印字用シート４０側から見た一部拡大平面図、図１１は基材シート３１側から見た一部拡大平面図である。これらの図からもわかるように、この情報隠蔽用シート３０には短辺を２分割するミシン目３５（４５）、および長辺を４分割するミシン目３６（４６）がシート３０の端縁部に沿って形成されており、これにより、１枚のシート３０から計８枚の矩形の貼付シール３０ａが作成可能となっている。
【００３５】
図１０に示すように、各貼付シール３０ａの印字用シート４０側には、印字用シート４０の所定の内側領域を取り囲むように矩形のループ状切れ目４１が形成されているとともに、外周縁部付近には上記ループ状切れ目４１を取り囲むように粘着剤露出用切れ目４２が形成されている。この粘着剤露出用切れ目４２に沿って印字用シート４０の外周縁部を内側領域から切り離しつつ基材シート３１から引き剥がすことにより、粘着剤層３２が露出可能とされている。
【００３６】
また、基材シート３１には、図１１に示すように、上記印字用シート４０のループ状切れ目４１を取り囲むように、かつ、上記粘着剤露出用切れ目４２の内側に位置して、開封用切れ目３３が形成されている。この開封用切れ目３３は図１１中右側が開いた（切れ目３３のうち右辺部分が不連続とされた）逆コ字形状とされている。
【００３７】
上述した本実施形態の情報隠蔽用シート３０を使用する場合には、図１２に示すように、まず印字用シート４０のうちループ状切れ目４１の内側領域に、必要な情報をプリンタによって印刷する。次に、ミシン目４５（３５），４６（３６）に沿って各貼付シール３０ａを切り離し、続いて、貼付シール３０ａの印字用シート４０側の周縁部を粘着剤露出用切れ目４２に沿って内側領域から切り離しつつ、基材シート３１から引き剥がす（図１３参照）。これにより、貼付シール３０ａは周縁部に粘着剤層３２が露出された状態となる。そこで、図１４に示すように、貼付シール３０ａの露出された粘着剤層３２を葉書の表面に押し付けることにより、印字用シート４０の内側領域に印刷された情報が隠蔽された葉書を得ることができる。
【００３８】
このような貼付シール３０ａが貼り付けられた葉書を受け取った場合には、貼付シール３０ａの開封用切れ目３３の角部をつまみ、引き剥がす（図１５参照）。すると、開封用切れ目３３の内側領域に一体に重ねられた印字用シート４０のループ状切れ目４１の内側領域がループ状切れ目４１によってその周縁領域から切り離され、外部に露出する。これにより、印刷された情報を見ることが可能となる。また、この印刷情報を保管したい場合には、印字用シート４０の露出した領域の角部をつまんで基材シート３１から引き剥がせばよい（図１６参照）。
【００３９】
このように、本実施形態の情報隠蔽用シート３０によれば、シート３０に印刷を行い、ミシン目４５（３５），４６（３６）に沿って切り離すことにより貼付シール３０ａを作成し、印字用シート４０側の周縁部を引き剥がして露出させた粘着剤層３２を葉書等に貼り付けることにより、印刷された情報を簡単に隠蔽することが可能である。また、開封時には、開封用切れ目３３に沿って基材シート３１を引き剥がすだけで、内部の印刷情報を見ることができる。さらに、その印刷情報は基材シート３１から簡単に引き剥がすことができて、保管する際に便利である。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４１】
（１）上記実施形態では、封筒作成用シートをＡ４サイズ、情報隠蔽用シートをＢ５サイズとしたが、サイズは特に限定されず、例えば、Ａ３、Ａ４、Ａ５、Ａ６、Ｂ４、Ｂ５等の用紙であってもよい。また、一枚の用紙で一つの封筒を作成する構成としたが、複数の封筒を作成する構成としてもよい。一枚の用紙で一枚の情報隠蔽用シート（貼付シール）を作成する構成としてもよいことはもちろんである。
【００４２】
（２）上記第１実施形態では、分離可能領域１５，２５を設けて控えを簡単に得ることができる構成としたが、控えを作るための２３ａ，２３ｂを省略して、単に１３からを切り離すこととして二つ折りにしたときに定型サイズの封筒ができるようにしてもよい。分離可能領域１５，２５は省略して全体を二つ折りにして封筒を作ってもよい。
【００４３】
（３）上記実施形態では、開封用切れ目１９，３３をコ字形状としたが、ループ形状としてもよい。また、各切れ目は全体が完全に連続したものに限らず、局部的にミシン目のような点状の不連続部を備えたものであってもよく、特に、そのような点状の不連続部を開封用切れ目１９，３３の角部などに設けると、開封用切れ目１９の内側領域が不用意にめくれ上がることを簡単に防止することができるという利点がある。
【００４４】
（４）上記第１実施形態では、粘着剤露出用切れ目２１を第１の領域２６に形成したが、第２の領域２７に形成して第２の領域の周縁部に粘着剤層１２を露出させる構成としてもよく、或いは双方の領域２６，２７に粘着剤露出用切れ目を形成してもよい。また、印字用シート２０の所定の印字領域を取り囲むループ状切れ目は第１の領域２６に形成してもよく、或いは双方の領域２６，２７に形成してもよい。  
【００４５】
（５）窓形成用切れ目１８は省略してもよい。郵送用の宛先が必要な場合には、例えば基材シート１１の裏面（粘着剤層１２の反対面）に宛名タックシールを貼る等の構成としてもよい。
【００４６】
（６）基材シート１１および印字用シート２０の材質は、特に限定されない。例えば、印字用シートには、コ−ト紙、上質紙、クラフト紙、微塗工紙、サ−マル紙その他の紙類が使用できる。
【００４７】
（７）上記実施形態では、納品書用の封筒作成用シートを例に取って説明したが、これに限らず、基材シートの裏側に印刷、手書き、タック貼着等によって宛先を記載して一般の通信用の封筒として利用してもよく、また、例えば給与明細書用の封筒を作成するものであってもよい。
【図面の簡単な説明】
【００４８】
【図１】本発明の第１実施形態の封筒作成用シートの印字用シートの平面図
【図２】同じく封筒作成用シートの基材シートの平面図
【図３】同じく封筒作成用シートから納品書の控えを剥離した状態の平面図
【図４】同じく分離可能領域を切り離す工程の斜視図
【図５】同じく分離可能領域を切り離した状態の平面図
【図６】同じく折り目１４に沿って折り曲げる工程の斜視図
【図７】同じく封筒が完成した状態を示す平面図
【図８】同じく開封用切れ目に沿って開封する工程を示す平面図
【図９】同じく開封した状態を示す平面図
【図１０】本発明の第２実施形態の情報隠蔽用シートの一部拡大平面図
【図１１】同じく情報隠蔽用シートの基材シートの一部拡大平面図
【図１２】同じく情報隠蔽用シートに印刷を行った状態の一部拡大平面図
【図１３】同じく情報隠蔽用シートを分離させた貼付シールの周縁部に粘着剤層を露出させる工程の斜視図
【図１４】同じく貼付シールを葉書に貼付する工程の平面図
【図１５】同じく開封用切れ目に沿って開封する工程の平面図
【図１６】同じく開封した状態を示す平面図
【符号の説明】
【００４９】
１０…封筒作成用シート
１１，３１…基材シート
１２，３２…粘着剤層
１３…切れ目
１４…折り目
１５…分離可能領域
１６，２６…第１の領域
１７，２７…第２の領域
１８…窓形成用切れ目
１９，３３…開封用切れ目
２０，４０…印字用シート
２１，４２…粘着剤露出用切れ目
２２，４１…ループ状切れ目
２４…切れ目
２５…控え用印字領域
３０…情報隠蔽用シート
３０ａ…貼付シール
【図１】
2006334981.tif 000003
【図２】
2006334981.tif 000004
【図３】
2006334981.tif 000005
【図４】
2006334981.tif 000006
【図５】
2006334981.tif 000007
【図６】
2006334981.tif 000008
【図７】
2006334981.tif 000009
【図８】
2006334981.tif 000010
【図９】
2006334981.tif 000011
【図１０】
2006334981.tif 000012
【図１１】
2006334981.tif 000013
【図１２】
2006334981.tif 000014
【図１３】
2006334981.tif 000015
【図１４】
2006334981.tif 000016
【図１５】
2006334981.tif 000017
【図１６】
2006334981.tif 000018